(57)【要約】【課題】より円滑にユーザーの所有する携帯端末装置からユーザーの要求する印刷を行うことができる印刷システムを提供する。【解決手段】印刷システム２４は、携帯端末装置４１と、携帯端末装置４１とＮＦＣ通信が可能な複合機１１とを含む。携帯端末装置４１は、起動受け付け部３１と、ＮＦＣタグ情報更新部３２と、携帯端末装置送信制御部３３とを備える。起動受け付け部３１は、要求に応じて、携帯端末装置記憶部４４に記憶されたアプリケーションの起動を受け付ける。ＮＦＣタグ情報更新部３２は、起動受け付け部３１によりアプリケーションの起動を受け付ければ、アプリケーションの起動時に、ＮＦＣタグ情報を更新する。携帯端末装置送信制御部３３は、ＮＦＣタグ情報更新部３２により更新されたＮＦＣタグ情報を複合機１１に送信するよう制御する。【選択図】図３
2018073109.tif 000002
【特許請求の範囲】
【請求項１】
携帯端末装置と、前記携帯端末装置とＮＦＣ（Ｎｅａｒ  Ｆｉｅｌｄ  Ｃｏｍｍｕｎｉｃａｔｉｏｎ）通信が可能な印刷装置とを含む印刷システムであって、
前記携帯端末装置は、
アプリケーション、および前記ＮＦＣ通信におけるＮＦＣタグ情報を記憶する携帯端末装置記憶部と、
要求に応じて、前記携帯端末装置記憶部に記憶されたアプリケーションの起動を受け付ける起動受け付け部と、
前記起動受け付け部が前記アプリケーションの起動を受け付ければ、前記アプリケーションの起動時に、前記ＮＦＣタグ情報を更新するＮＦＣタグ情報更新部と、
前記ＮＦＣタグ情報更新部により更新された前記ＮＦＣタグ情報を前記印刷装置に送信するよう制御する携帯端末装置送信制御部とを備え、
前記印刷装置は、
用紙に画像を形成して印刷する印刷部と、
外部から送信される情報を受信する印刷装置受信部と、
前記印刷装置受信部が、更新された前記ＮＦＣタグ情報を受信すれば、更新された前記ＮＦＣタグ情報を記憶する印刷装置記憶部と、
前記印刷装置受信部により受信された前記アプリケーションに基づく印刷ジョブを前記実行するよう前記印刷部を制御する印刷制御部とを備える、印刷システム。
【請求項２】
前記ＮＦＣタグ情報更新部は、前記アプリケーションのセットアップのタイミングで、前記ＮＦＣタグ情報を更新する、請求項１に記載の印刷システム。
【請求項３】
前記ＮＦＣタグ情報は、ＸＭＬ（Ｅｘｔｅｎｓｉｂｌｅ  Ｍａｒｋｕｐ  Ｌａｎｇｕａｇｅ）形式で記述されている、請求項１または２に記載の印刷システム。
【発明の詳細な説明】
【技術分野】
【０００１】
この発明は、印刷システムに関するものである。
【背景技術】
【０００２】
複合機に代表される印刷装置においては、感光体に対して画像データを基に光を照射し、感光体上に静電潜像を形成する。その後、形成した静電潜像の上に帯電したトナーを供給して可視画像とする。そして、用紙にトナーを転写した後、用紙にトナーを定着させる。トナーが定着された用紙は、装置外に排出される。
【０００３】
昨今、印刷装置において、無線通信等により携帯端末装置とデータの授受を行う場合がある。印刷装置と携帯端末との間の近距離無線通信に関する技術が、特開２０１５−１９１４７４号公報（特許文献１）、および特開２０１５−２１７６１２号公報（特許文献２）に開示されている。
【０００４】
特許文献１に開示の携帯端末は、画像形成装置と近距離通信が可能な携帯端末であって、前記画像形成装置と前記近距離通信が可能となると、前記画像形成装置に予め設けられた当該画像形成装置の状態を示すステータス値が記憶された第１記憶領域から、前記ステータス値を取得するステータス値取得手段と、前記ステータス値取得手段により取得された前記ステータス値に対応する画面を表示部に表示する表示手段と、前記表示手段により前記表示部に表示された前記画面からのユーザーの指示により、前記画像形成装置に行わせる処理を実行させるためのコマンド値を前記画像形成装置に予め設けられた第２記憶領域に記憶させる記憶手段とを有することを特徴としている。
【０００５】
特許文献２に開示の画像形成装置は、通信端末との無線通信が可能な画像形成装置であって、近距離無線通信の規格に基づいた通信を行うことが可能な第１通信部と、前記近距離無線通信と異なる無線通信の規格に基づいて通信を行うことが可能な第２通信部と、前記第１通信部を介して前記通信端末と通信が行われることによって前記通信端末が前記画像形成装置から取得可能となる情報を記憶する記憶部と、前記通信端末と前記第２通信部を介して通信を行うために必要なデータであって前記通信端末に設定可能な設定データを、前記記憶部に記憶する第１記憶手段と、前記通信端末に実行させるためのアプリケーションであって、前記画像形成装置の状態に対応するアプリケーションを特定可能なアプリケーション情報を、前記記憶部に記憶する第２記憶手段と、前記第１記憶手段によって前記記憶部に記憶された前記設定データが設定された前記通信端末と、前記第２通信部を介した通信を行うことによって、前記通信端末において前記アプリケーションが実行されたことに応じて前記通信端末から送信されたデータを受信する受信手段と、前記受信手段によって受信された前記データに基づいて、前記画像形成に関連する処理を行う画像形成手段とを備えたことを特徴としている。
【先行技術文献】
【特許文献】
【０００６】
【特許文献１】特開２０１５−１９１４７４号公報
【特許文献２】特開２０１５−２１７６１２号公報
【発明の概要】
【発明が解決しようとする課題】
【０００７】
昨今、ユーザーの所有する携帯端末装置と印刷装置とは、ＮＦＣ（Ｎｅａｒ  Ｆｉｅｌｄ  Ｃｏｍｍｕｎｉｃａｔｉｏｎ）通信、ブルートゥース（登録商標）（Ｂｌｕｅｔｏｏｔｈ（登録商標））、Ｗｉ−ｆｉダイレクト通信といった短距離通信や近距離通信で容易に接続される構成を有するものがある。この場合、携帯端末装置側においては、特に接続に要する操作や作業が不要となる場合も多い。
【０００８】
ＮＦＣ通信における接続に際しては、印刷装置側の接続情報、具体的には、ＩＰアドレスや割り当てられている装置名等の情報を取得して利用される。ここで、携帯端末装置側において印刷に適したアプリケーションを起動し、携帯端末装置側に記憶されている画像データを用いて印刷を要求する場合、印刷装置と携帯端末装置との間において無線ＬＡＮ（Ｌｏｃａｌ  Ａｒｅａ  Ｎｅｔｗｏｒｋ）通信等が確立していないため、印刷装置側において印刷処理を実行することができない状況が生ずることとなる。このような状況は、ユーザーにとって望ましいものではない。上記した特許文献１および特許文献２に開示の技術では、このような場合に対応することができない。
【０００９】
この発明の目的は、より円滑にユーザーの所有する携帯端末装置からユーザーの要求する印刷を行うことができる印刷システムを提供することである。
【課題を解決するための手段】
【００１０】
この発明に係る印刷システムは、携帯端末装置と、携帯端末装置とＮＦＣ（Ｎｅａｒ  Ｆｉｅｌｄ  Ｃｏｍｍｕｎｉｃａｔｉｏｎ）通信が可能な印刷装置とを含む。携帯端末装置は、携帯端末装置記憶部と、起動受け付け部と、ＮＦＣタグ情報更新部と、携帯端末装置送信制御部とを備える。携帯端末装置記憶部は、アプリケーション、およびＮＦＣ通信におけるＮＦＣタグ情報を記憶する。起動受け付け部は、要求に応じて、携帯端末装置記憶部に記憶されたアプリケーションの起動を受け付ける。ＮＦＣタグ情報更新部は、起動受け付け部がアプリケーションの起動を受け付ければ、アプリケーションの起動時に、ＮＦＣタグ情報を更新する。携帯端末装置送信制御部は、ＮＦＣタグ情報更新部により更新されたＮＦＣタグ情報を印刷装置に送信するよう制御する。印刷装置は、印刷部と、印刷装置受信部と、印刷装置記憶部と、印刷制御部とを備える。印刷部は、用紙に画像を形成して印刷する。印刷装置受信部は、外部から送信される情報を受信する。印刷装置記憶部は、印刷装置受信部が、更新されたＮＦＣタグ情報を受信すれば、更新されたＮＦＣタグ情報を記憶する。印刷制御部は、印刷装置受信部により受信されたアプリケーションに基づく印刷ジョブを実行するよう前記印刷部を制御する。
【発明の効果】
【００１１】
このような印刷システムによると、アプリケーションの起動が受け付けられれば、ＮＦＣタグ情報を更新し、更新されたＮＦＣタグ情報が印刷装置に送信される。そして、印刷装置側において、ＮＦＣタグ情報が更新される。そうすると、携帯端末装置側において、アプリケーションを起動して印刷を要求する際に、再度接続を確立させる必要はない。したがって、より円滑にユーザーの所有する携帯端末装置からユーザーの要求する印刷を行うことができる。
【図面の簡単な説明】
【００１２】
【図１】この発明の一実施形態に係る画像形成システムの外観を示す概略図である。
【図２】図１に示す画像形成システムの構成を示すブロック図である。
【図３】携帯端末装置制御部の構成を示すブロック図である。
【図４】携帯端末装置記憶部に記憶されているアプリケーションを起動し、複合機に印刷ジョブを送信して印刷を行う場合の処理の流れを示すフローチャートである。
【図５】タッチパネルにアプリケーションに対応するアイコンが表示された携帯端末装置の一例を示す図である。
【発明を実施するための形態】
【００１３】
以下、この発明の実施の形態を説明する。図１は、この発明の一実施形態に係る印刷システムの外観を示す概略図である。図２は、図１に示す印刷システムの構成を示すブロック図である。
【００１４】
図１および図２を参照して、印刷システム２４は、ユーザーの所有する携帯端末装置４１と、印刷装置としての複合機１１とを含む。携帯端末装置４１は、複合機１１に対し、ＮＦＣ（Ｎｅａｒ  Ｆｉｅｌｄ  Ｃｏｍｍｕｎｉｃａｔｉｏｎ）通信を確立して印刷の要求を行い、印刷を行うことができる。なお、携帯端末装置４１と複合機１１とは、他の通信方法でも接続可能な構成としてもよい。
【００１５】
ここでまず、複合機１１の構成について説明する。複合機１１は、複合機制御部１２と、操作部１３と、画像読み取り部１４と、印刷部としての画像形成部１５と、給紙カセット１６と、印刷装置記憶部としての複合機ハードディスク１７と、ネットワーク２３と接続するための複合機ネットワークインターフェース部１８と、複合機通信部２５とを備える。
【００１６】
複合機制御部１２は、複合機１１全体の制御を行う。なお、複合機制御部１２は、ＣＰＵ等から構成されており、一時的にデータを記憶する主記憶メモリ１９を含む。操作部１３は、複合機１１側から発信する情報やユーザーの入力内容を表示するタッチパネル型式の表示画面２１を含む。操作部１３は、印刷部数や階調等の画像形成の条件といった画像形成に関するユーザーからの入力を受け付ける。画像読み取り部１４は、セット位置にセットされた原稿を読み取り位置に搬送する原稿搬送装置としてのＡＤＦ（Ａｕｔｏ  Ｄｏｃｕｍｅｎｔ  Ｆｅｅｄｅｒ）２２を含む。画像読み取り部１４は、ＡＤＦ２２または不図示の載置台上にセットされた原稿の画像を読み取る。給紙カセット１６は、複数設けられており、それぞれ複数枚の用紙をその内部に収納することができる。画像形成部１５は、画像読み取り部１４により読み取られた原稿の画像データやネットワーク２３を介して送信された画像データを基に、給紙カセット１６等から搬送されてきた用紙に画像を形成する。複合機ハードディスク１７は、送信された画像データや入力された画像形成条件等、画像形成に関するデータを記憶する。複合機通信部２５は、外部装置、具体的には、携帯端末装置４１や不図示のタブレットＰＣとの接続を行うためのインターフェースである。複合機１１は、複合機通信部２５を通じて、外部装置から通信時に送信された画像データおよび印刷要求の命令を受信する。印刷装置受信部としての複合機通信部２５は、外部から送信される画像データや印刷ジョブを受信する。また、複合機ハードディスク１７は、複合機通信部２５が、後述する更新されたＮＦＣタグ情報を受信すれば、更新されたＮＦＣタグ情報を記憶する。
【００１７】
次に、複合機制御部１２の構成について説明する。複合機制御部１２は、印刷制御部２６を備える。印刷制御部２６は、複合機通信部２５により受信された後述するアプリケーションに基づく印刷ジョブを実行するよう画像形成部１５を制御する。これについては、後述する。
【００１８】
次に、携帯端末装置４１の構成について説明する。携帯端末装置４１は、携帯端末装置制御部４２と、携帯端末装置受信部としての携帯端末装置通信部４３と、携帯端末装置記憶部４４と、情報を表示する表示部としてのタッチパネル４５と、テンキー４６と、機能選択キー４７とを備える。携帯端末装置制御部４２は、携帯端末装置４１全体の制御を行う。携帯端末装置通信部４３は、外部装置、具体的には、複合機１１との接続を行うためのインターフェースである。携帯端末装置記憶部４４は、画像データや種々のデータを記憶する。また、携帯端末装置記憶部４４は、アプリケーション、およびＮＦＣ通信におけるＮＦＣタグ情報を記憶する。タッチパネル４５は、携帯端末装置４１の情報を表示すると共に、入力のインターフェースとなる。ユーザーは、テンキー４６の押下により、０〜９までの数値やＡ〜Ｚまでのアルファベット等を入力することができる。また、ユーザーは、機能選択キー４７の所定の箇所を押下して、種々の操作を行うことができる。例えば、携帯端末装置４１における携帯電話機能を選択して、機能選択キー４７の押下により通話を開始したり、通話を終了させたりする。
【００１９】
次に、携帯端末装置制御部４２の構成について説明する。図３は、携帯端末装置制御部４２の構成を示すブロック図である。図３を参照して、携帯端末装置制御部４２は、起動受け付け部３１と、ＮＦＣタグ情報更新部３２と、携帯端末装置送信制御部３３とを備える。起動受け付け部３１は、要求に応じて、携帯端末装置記憶部４４に記憶されたアプリケーションの起動を受け付ける。ＮＦＣタグ情報更新部３２は、起動受け付け部３１がアプリケーションの起動を受け付ければ、アプリケーションの起動時に、ＮＦＣタグ情報を更新する。携帯端末装置送信制御部３３は、ＮＦＣタグ情報更新部３２により更新されたＮＦＣタグ情報を複合機１１に送信するよう制御する。これらの構成についても、後に詳述する。
【００２０】
次に、この発明の一実施形態に係る印刷システム２４により、携帯端末装置４１、具体的には、携帯端末装置記憶部４４に記憶されているアプリケーションを起動し、複合機１１に印刷ジョブを送信して印刷を行う場合について説明する。図４は、携帯端末装置記憶部４４に記憶されているアプリケーションを起動し、複合機１１に印刷ジョブを送信して印刷を行う場合の処理の流れを示すフローチャートである。
【００２１】
図４を参照して、まず、ユーザーは、携帯端末装置記憶部４４に記憶されているアプリケーションを起動し、アプリケーションに対応するファイルの画像データを利用して印刷ジョブを送信し、印刷をしようとする。
【００２２】
ユーザーは、携帯端末装置記憶部４４に記憶されているアプリケーションを起動しようとする（図４において、ステップＳ１１、以下、「ステップ」を省略する）。図５は、タッチパネル４５にアプリケーションに対応するアイコンが表示された携帯端末装置４１の一例を示す図である。
【００２３】
図５を参照して、ユーザーは、タッチパネル４５に表示されている二つのアイコン５１ａ、５１ｂのうち、アイコン５１ａをタップする。アイコン５１ａのタップを検知すれば（Ｓ１１において、ＹＥＳ）、起動受け付け部３１は、アイコン５１ａに対応するアプリケーションの起動を受け付ける。
【００２４】
ここで、ＮＦＣタグ情報更新部３２は、ＮＦＣタグ情報を更新する（Ｓ１２）。すなわち、ＮＦＣタグ情報更新部３２は、起動受け付け部３１がアプリケーションの起動を受け付ければ、ＮＦＣタグ情報を更新する。この場合、携帯端末装置記憶部４４に記憶されているＮＦＣタグ情報を書き替えて更新する。また、ＮＦＣタグ情報更新部３２は、アプリケーションのセットアップのタイミングで、ＮＦＣタグ情報を更新する。なお、ＮＦＣタグ情報については、ＸＭＬ（Ｅｘｔｅｎｓｉｂｌｅ  Ｍａｒｋｕｐ  Ｌａｎｇｕａｇｅ）形式で記述されている。
【００２５】
そして、携帯端末装置送信制御部３３は、更新されたＮＦＣタグ情報を複合機１１に送信する（Ｓ１３）。複合機通信部２５は、携帯端末装置４１側から送信された更新されたＮＦＣタグ情報を受信する（Ｓ１４）。そして、更新されたＮＦＣタグ情報が記憶される（Ｓ１５）。このようにして、更新されたＮＦＣタグ情報で、ＮＦＣ通信が確立される。
【００２６】
その後、ユーザーは、起動したアプリケーションにおけるファイルの画像データを用いて、印刷ジョブを送信する。そうすると、携帯端末装置送信制御部３３は、ファイルの画像データを複合機１１に送信すると共に、印刷ジョブの発行を行う（Ｓ１６）。
【００２７】
複合機通信部２５が、携帯端末装置送信制御部３３から送信された画像データを受信し（Ｓ１７）、受信した画像データを元に画像形成部１５において用紙に画像を形成して印刷し、出力する。すなわち、受信した画像データに基づいて印刷ジョブを実行する（Ｓ１８）。
【００２８】
このような印刷システム２４によると、アプリケーションの起動が受け付けられれば、ＮＦＣタグ情報を更新し、更新されたＮＦＣタグ情報が複合機１１に送信される。そして、複合機１１側において、ＮＦＣタグ情報が更新される。そうすると、携帯端末装置４１側において、アプリケーションを起動して印刷を要求する際に、再度接続を確立させる必要はない。したがって、より円滑にユーザーの所有する携帯端末装置４１からユーザーの要求する印刷を行うことができる。
【００２９】
この場合、ＮＦＣタグ情報更新部３２は、アプリケーションのセットアップのタイミングで、ＮＦＣタグ情報を更新しているため、アプリケーションに基づく印刷ジョブを発行する際に、更新されたＮＦＣタグ情報を確実に利用することができる。
【００３０】
また、この場合、ＮＦＣタグ情報は、ＸＭＬ形式で記述されているため、該当部分の書き替えにより、ＮＦＣタグ情報の更新を適切に行うことができる。
【００３１】
なお、上記の実施の形態においては、ＮＦＣタグ情報更新部３２は、アプリケーションのセットアップのタイミングで、ＮＦＣタグ情報を更新することとしたが、これに限らず、アプリケーションを起動して所定の時間経過してからＮＦＣタグ情報を更新することとしてもよい。
【００３２】
また、上記の実施の形態において、ＮＦＣタグ情報は、他の形式で記述されていてもよい。
【００３３】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００３４】
この発明に係る印刷システムは、ユーザーの所有する携帯端末装置からより円滑なユーザーの要求する印刷の要求がなされる場合に、特に有効に利用される。
【符号の説明】
【００３５】
１１  複合機、１２  複合機制御部、１３  操作部、１４  画像読み取り部、１５  画像形成部、１６  給紙カセット、１７  複合機ハードディスク、１８  複合機ネットワークインターフェース部、１９  主記憶メモリ、２１  表示画面、２２  ＡＤＦ、２３  ネットワーク、２４  印刷システム、２５  複合機通信部、２６  印刷制御部、３１  起動受け付け部、３２  ＮＦＣタグ情報更新部、３３  携帯端末装置送信制御部、４１  携帯端末装置、４２  携帯端末装置制御部、４３  携帯端末装置通信部、４４  携帯端末装置記憶部、４５  タッチパネル、４６  テンキー、４７  機能選択キー、５１ａ，５１ｂ  アイコン。
【図１】
2018073109.tif 000003
【図２】
2018073109.tif 000004
【図３】
2018073109.tif 000005
【図４】
2018073109.tif 000006
【図５】
2018073109.tif 000007